(57)【要約】      （修正有）【課題】ポケットティッシュ袋内部の収納枚数が少なくなっても容易にティッシュペーパーの取り出しが可能であり、複数のポケットティッシュを収納して、使用したい場所に容易に持ち運べるポケットティッシュ用ボックスを提供する。【解決手段】ポケットティッシュ用ボックス９０は磁力を有する支持板１と筐体３１で構成されており、筐体３１は複数のポケットティッシュの収納ができ通常のティッシュボックスに類似している。収納する筐体３１の上面に鉄など磁着する素材でできた板２１を設け、磁力を有する支持板１をポケットティッシュの袋部に挿し込みポケットティッシュを筐体３１上面に取り付ける。【選択図】図１
2015054718.tif 000002
【特許請求の範囲】
【請求項１】
ポケットティッシュ支持板と筐体で構成されており、
前記ポケットティッシュ支持板はポケットティッシュ袋部に挿入させてポケットティッシュの形状を維持できることのできる形状およびサイズでありかつ前記ポケットティッシュ支持板は底面に磁力を有しており、
前記筐体は複数のポケットティッシュを収納しかつ出し入れすることができ、前記筐体の少なくとも上面が磁着可能であることを特徴とするポケットティッシュ用ボックス。
【請求項２】
ポケットティッシュ支持板と筐体で構成されており、
前記ポケットティッシュ支持板はポケットティッシュ袋部に挿入させてポケットティッシュの形状を維持できることのできる形状およびサイズでありかつ前記ポケットティッシュ支持板は底面が磁着可能であり、
前記筐体は複数のポケットティッシュを収納しかつ出し入れすることができ、前記筐体の少なくとも上面が磁力を有していることを特徴とするポケットティッシュ用ボックス。
【請求項３】
請求項１または請求項２に記載の筐体の形状が一般的なティッシュペーパー箱と類似しており、縦の長さを１０ｃｍ台、横の長さを２０ｃｍ台、高さを２０ｃｍ以内とし、縦横の長さ比を１：（２±０．５）とすることを特徴とする請求項１または請求項２に記載のポケットティッシュ用ボックス。
【発明の詳細な説明】
【技術分野】
【０００１】
本発明は、紛失しやすいポケットティッシュを収納しつつ、最後の１枚まで容易に使用することのできるポケットティッシュ用ボックスである。
【背景技術】
【０００２】
従来より、車内のサンバザーなどに取り付けてポケットティッシュを最後の１枚まで容易に使用することを目的とした「ポケットティッシュホルダー」（例えば特許文献１）があった。これはポケットティッシュの一般的な構造である底面側にある袋部に骨枠や板状体を差込みポケットティッシュの袋の変形を防止することでティッシュペーパーを１枚１枚引き抜くことを容易にしている。
また板状体の底面に磁石を設けることにより板状体を差し込んだポケットティッシュを冷蔵庫など磁石と引き合う素材で構成された面に磁着させてポケットティッシュを配置することができるポケットティッシュ専用の多機能マグネットシートホルダー（例えば特許文献２）があった。
【先行技術文献】
【特許文献】
【０００３】
【特許文献１】特開２００１−２３１７０８
【特許文献２】特開２００５−２８７５９２
【発明の概要】
【発明が解決しようとする課題】
【０００４】
ポケットティッシュは使い始めこそ形状が保持されるが、ティッシュペーパーの使用に伴い収納枚数が少なくなると形状が著しく不安定になり取り出しが難しくなったり複数のティッシュぺ―パーがまとめて出てくるなど使いにくくなるという難点がある。ポケットティッシュが中途半端に数枚残った状態でバックやポケットに入れられた場合に形状が変形し、ポケットティッシュを使用しきらずにゴミ箱に廃棄した経験のある人も多いと思われる。形状が変形したポケットティッシュを捨てきれず、色んな場所に散在させている状態も良く見られる。
【０００５】
マグネット板をポケットティッシュの袋部に差し込み、鉄を主材とするロッカーや机や冷蔵庫などに磁着する方法はポケットティッシュからティッシュペーパーを片手で安定的に引き抜く点において非常に有効である。しかし、使用するためにポケットティッシュが磁着されている場所まで行かなくてはならない。鉄など磁着することのできる素材でできていてかつポケットティッシュを支えるマグネット板が磁着する面積を有するものが必ずしも使用する環境にあるとは限らない。まして、前述のロッカーや机や冷蔵庫を手近な場所に簡単に持ち運びをすることはできない。即ち、使用しやすい状態のままで使いたい場所に持ち運んで使用することができないという問題がある。
【０００６】
ポケットティッシュは広告物や粗品として配布されることが多い。都会の駅付近で広告物として配布されることも多く、帰宅するたびにポケットティッシュが貯まるという事象も見られる。家に持ち帰られたポケットティッシュは色々な場所に散在しやすい。従って、いざポケットティッシュが必要な時に探すという行為を経験したことのない人は少ないのではないかと類推する。当然ながら個人或いは家庭によってはポケットティッシュを収納する場所や入れ物をルールとして決めている場合もあるが、その場所や入れ物はあくまでも収納のルールとして定めているものであり、その場所に収納する必然性は乏しい。また、収納場所を知らない他者からみたらどこにポケットティッシュが収納されているのかを見分けることは難しい。したがって、ある一か所に収納するというルールがあっても、そのルールを順守することが難しい点と他者にその収納場所を知らしめるあるいはその他者にも運用を徹底することは単なるルールづくりの域を出ず、便利という領域まで運用することは難しい。即ち、収納した状態を容易に共有できないという問題がある。
【０００７】
課題はポケットティッシュが使いやすくかつ収納保管できる状態にすることであり、機能を整理すると、まず第１点目としてはポケットティッシュからティッシュを引き抜きやすい状態にすることで、引き抜きやすい状態とはポケットティッシュから１枚（１セット）ずつ片手で最後の１枚まで引き抜くことのできる状態をいう。第２点目は複数のポケットティッシュの収納ができてかつ自分以外の他者（例えば家族）と容易に収納が共有できることである。第３点目としてポケットティッシュを使用したい場所に容易に持ち運べて使用できることである。
【課題を解決するための手段】
【０００８】
ポケットティッシュの形状を保持してティッシュペーパーを引き抜きやすい状態にする手段としてポケットティッシュの袋部に差し込みことができかつ磁力を有する保持板を使用する。
【０００９】
複数のポケットティッシュの収納ができてかつ自分以外の他者（例えば家族）と容易に収納が共有できる手段として、収納する筐体の形状や大きさを通常のティッシュボックスに類似させる。更に、通常のティッシュペーパー箱は上からティッシペーパーを引き抜けるということも一般的な特徴であるため、収納する筐体の少なくとも上面に鉄など磁着することのできる素材でできた板を設けて上記磁力を有する保持板が前記筐体の上面に磁着することによりポケットティッシュが筐体上方に固定されることで、外観上ティッシュボックスに類似してくる。
ティッシュボックスと類似したサイズであるため、容易に持ち運ぶことができる。筐体上面のポケットティッシュを使いきってしまうと、筐体に収納している新しいポケットティッシュを新たにセットすればよい。
【発明の効果】
【００１０】
本発明であるポケットティッシュ用ボックスは、使い切りにくいポケットティッシュを使い切りやすくするとともに、散在しやすいポケットティッシュを１か所にまとめることで使用しやすい環境を作ることができる。
【００１１】
更に、通常のティッシュボックスと類似した外観から、ティッシュペーパーが必要な者は室内にあるポケットティッシュの場所を容易に特定することができる。
【図面の簡単な説明】
【００１２】
【図１】本発明の第１実施形態によるポケットティッシュ用ボックスの斜視図である。
【図２】本発明の第１の実施形態であるポケットティッシュ用ボックスを構成するポケットティッシュ支持板の斜視図である。
【図３】本発明の第１の実施形態であるポケットティッシュ用ボックスを構成する第１のポケットティッシュ支持板の左側面図である。
【図４】本発明であるポケットティッシュ用ボックスを構成する第２のポケットティッシュ支持板の斜視図である。
【図５】本発明であるポケットティッシュ用ボックスを構成する第１のポケットティッシュ支持板をポケットティッシュの袋部に差し込む状態を表す斜視図である。
【図６】本発明を構成する第１のポケットティッシュ支持板を鉄製壁面に磁着させてポケットティッシュを壁面に取り付けた状態を表す側面図である。
【図７】本発明の第１実施形態によるポケットティッシュ用ボックスのうち、筒体と引出しを分離した状態を表す斜視図である。
【図８】本発明の第１実施形態によるポケットティッシュ用ボックスにポケットティッシュを取り付けた状態を表す斜視図である。
【図９】本発明の第１実施形態によるポケットティッシュ用ボックスを構成する筒体のＡ−Ａ‘断面図である。
【図１０】本発明の第２実施形態によるポケットティッシュ用ボックスの斜視図である。
【発明を実施するための形態】
【００１３】
（構成概要１）
図１に示す本発明の第１の実施形態であるポケットティッシュ用ボックス９０は、大きく分けて３つの部材で構成されている。筐体の外枠を構成する筒体３１、筐体内部を構成する引出し３２、そしてポケットティッシュ１０の袋部１１に差し込んで筐体と一体化する役目をもたらすポケットティッシュ支持板１である。
【００１４】
（ポケットティッシュ支持板１）
図２はポケットティッシュ支持板１の斜視図であり（ａ）は下方から上方に向けて、（ｂ）は上方から下方に向けての斜視図である。ポケットティッシュ支持板１は基板５とつまみ７とマグネットシート６でできている。基板５の下面にマグネットシート６が取り付けられている。基板５の上部につまみ７が取り付けられている（図３追加参照）。
図５に示すとおりポケットティッシュ支持板１を前方からポケットティッシュ１０の底面側にある袋部１１に挿しこみ、その状態で図６に示すとおりポケットティッシュ支持板１を磁性板２０（例えば冷蔵庫の壁面）に磁着させることでポケットティッシュ１０の袋部１１がポケットティッシュ支持板１と磁性板２０に挟まれ、結果ポケットティッシュ１０が磁性板２０に取り付けられた状態になる。
尚、磁性板とは鉄に代表される磁気的な性質を利用できる材料でできた板のことをいう。
【００１５】
（ポケットティッシュ支持板２）
図４はポケットティッシュ支持板２を底面側から見た斜視図である。基板５の下面に磁石８が取り付けられている。ポケットティッシュ支持板は磁性板に磁着することができれば良くマグネットシートを用いても磁石を用いても、ポケットティッシュ支持板としての機能をはたすことができる。
極めて簡素なポケットティッシュ支持板はマグネットシートをポケットティッシュ１０の袋部１１に入れる事ができかつポケットティッシュ１０の形状を保持する大きさにカットしたものである。これはマグネットシートが基板５と磁性板２０の双方の機能を兼ねており、これだけでポケットティッシュ支持板の機能を満たすことができる。
基板５に取り付けてあるつまみ７はポケットティッシュの交換時などのオペレーション上便利ではあるがポケットティッシュ支持板の必須要件ではない。
【００１６】
（筐体１）
図７に示すとおり筐体３０は筒体３１と箱体３２で構成されている。箱体３２は複数のポケットティッシュ１０を収納することができ、箱体３２は筒体３１内部に収まるようにできている。箱体３２をスライドさせて筐体を開閉する（図８追加参照）。尚、筒体３１の片側は閉じていても良い（箱体３２が筒体３１の片側だけ出し入れできる状態）。
図９はＡ−Ａ‘の断面図である。筒体３１の上面の裏側には磁性板２１が設けられている。ポケットティッシュ支持板１の有する磁性体が磁性板２１と磁着することによりポケットティッシュ１０が筐体３０の上面に取り付けられる。
【００１７】
（筐体２）
図１０に表す本発明の第２の実施形態であるポケットティッシュ用ボックス９１は収納形式を上部開口型にした筐体４０で構成され、筐体４０はポケットティッシュ１０を収納する箱体４２と収納部を開閉する上蓋４１でできている。上蓋４１の上面の裏側には磁性板２１が設けられ、上蓋４１の上面にポケットティッシュ支持板１が磁着することができる。箱体４２と上蓋４１は蝶番で連結され蝶番を介して開閉する仕組みになっている。
尚、ポケットティッシュ支持板は１つの筐体に対して複数枚取り付けても良い。
【００１８】
（筐体構成要素１）
本発明であるポケットティッシュ用ボックスを構成する筐体の要素としては大きく２点ある。まず、１点目はポケットティッシュ１０を収納できる空間を有しておりかつポケットティッシュ１０の出し入れができる要素である。２点目として筐体上面とポケットティッシュ支持体が磁着するという要素である。
この２つの要素を満たせば筐体は[００１６]乃至[００１７]で説明したものに限らない。例えば磁性板を筐体上面に露出させても良いし、筐体全体を磁性板で構成してもよいし、筐体上面に磁性板を取り付け上からデザイン紙でコーティングしても良い。
また、ポケットティッシュ支持板が磁着するのは筐体上面のみならず筐体側面にも磁着するよう筐体の側面にも磁性板２１を設けても良い。筐体を開閉してポケットティッシュ１０を出し入れする方法についても例えば上蓋と箱体が分離して嵌め合わせる構造でも良い。
【００１９】
（筐体構成要素２）
ティッシュペーパーを探す場合、人は何を目当てにしてその在り処を認識するであろうか。おそらく大きく３つの視点があるかと思われる。１点目として一般的に置いてある場所を探すと思われる。例えばリビングに於いては机の上や棚の上やフロアーの上などに視線を向けるであろう。間違ってもエアコンの上やシャンデリアの上を探す人は居ないであろうし、鉄で作られたオブジェに引っ付いているとは思わないであろう。２点目としてティッシュペーパー箱の形状・サイズを目当てに探すであろう。ティッシュペーパーを探す人が部屋を概観してティッシュペーパーの入った入れ物を探すためには経験上刷り込まれているティッシュペーパー箱の直方体の形状やサイズを目当てにするであろう。３点目としてティッシュペーパー箱の上面から出ているティッシュペーパーの一片を目当てにして探すと思われる。
従って本発明であるポケットティッシュ用ボックスが上記の視点を満たすほどティッシュペーパー及びポケットティッシュ１０の使用者はティッシュペーパーおよびポケットティッシュの置き場所を知らずとも容易に探し出すことができる。
まず、本発明であるポケットティッシュ用ボックスを構成する筐体上部にはポケットティッシュ支持板を介してポケットティッシュ１０が取り付けられており上部にはティッシュペーパー１２の一部が見えていることから、前述第３点目の視点を満たしておりティッシュペーパーを探す人は本発明であるポケットティッシュ用ボックスの認識が容易となる。
本発明であるポケットティッシュ用ボックスを構成する筐体の形状・サイズは通常市場に流通しているティッシュペーパー箱の形状・サイズに類似していることが望ましい。それは前述の第２点目を満たすためである。市場に流通しているティッシュペーパーは１５０組〜２００組入りが多く、箱のサイズは縦が１２ｃｍ前後、横が２３ｃｍ前後、高さは入数やティッシュペーパー品質の違いでまちまちであるが４ｃｍ〜１０ｃｍ程度である。
本発明を市場で流通させる初期の過程としては縦を１０ｃｍ台、横を２０ｃｍ台、高さを２０ｃｍ以内とし、縦横の長さ比を１：（２±０．５）程度にすることが望ましい。この形状・サイズであれば机の上や棚の上やフロアーの上に置くことが可能であり前述第１点目の視点も満たす。
尚、本発明であるポケットティッシュ用ボックスが広く流通して認知度が上がった場合は筐体の形状を一般のティッシュペーパー箱と類似させる必要性は少なくなり、筐体の形状やサイズはポケットティッシュ１０が収納でき、ポケットティッシュ支持板が磁着すれば良い。
【実施例１】
【００２０】
（標準タイプ）
筐体３０のサイズについて、縦１２ｃｍ・横２４ｃｍ・高さ７ｃｍとした。筒体３１は紙を素材とし磁性板２１としてトタン板を用い両面テープで筒体上面裏側に貼付した。箱体３２も紙を素材とした。箱体にはポケットティッシュ２０が３列に分かれて７段積み重ねて合計２１個を収納することができた。筐体３０の上面には２つのポケットティッシュ１０をポケットティッシュ支持板１を介して（袋部１１にポケットティッシュ支持板１を差し込んで）取り付けることができた。ポケットティッシュ支持板１のマグネットシート６は０．６ｍｍ厚のものを使用した。ポケットティッシュ１０からティッシュペーパー１２を片手で最後の１枚まで引き抜くことができた。また、鞄に入れたままにしておいて変形した使いかけのポケットティッシュ１０についてポケットティッシュ支持板１を介して筐体３０の上面に取り付けたところ、ポケットティッシュ１０の形状が復元してティッシュペーパー１２を片手で最後の１枚まで引き抜くことができた。
【００２１】
（マグネットシート）
ポケットティッシュ支持板を簡素な構造とするため０．６ｍｍ厚のマグネットシートを袋部１１に挿しこめるサイズにカットしたものをポケットティッシュ支持板とし、磁着機能により筐体３０上面にポケットティッシュ１０を取り付けた。この際、ポケットティッシュ１０からティッシュペーパー１２を片手で最後の１枚まで引き抜くことができた。
【００２２】
（逆構成）
尚、本発明であるポケットティッシュ用ボックスの磁石と磁性板の関係を逆にしても機能を果たせることが分かった。ポケットティッシュ支持板の底面に鉄板を取り付け、筐体の上面にマグネット面が上になるようマグネットシートを取り付けた。ポケットティッシュ支持板を袋部１１に挿しこみ磁着機能を介して筐体にポケットティッシュ１０をとりつけた。この際、ポケットティッシュ１０からティッシュペーパー１２を片手で最後の１枚まで引き抜くことができた。
【産業上の利用可能性】
【００２３】
ポケットティッシュの使いづらさに関しては多くの人が体感していると思われ、本発明であるポケットティッシュ用ボックスはその使いづらさの解決につながるためニーズの多い商品として成長する可能性がある。
【００２４】
本発明であるポケットティッシュ用ボックス９０は、完成形状として販売すると一定の容積を有する。一方、ポケットティッシュ用ボックス９０を容積の少ない組み立て式にすることができる（筐体３０を構成する筒体３１は折り畳みが可能であり、箱体３２も例えば紙を素材にしてポケットティッシュ支持板１も薄い部品であるため）。組み立て式にすることで生産コストや物流コストを抑え低価格で提供することが可能となる。
【符号の説明】
【００２５】
１      ポケットティッシュ支持板
２      ポケットティッシュ支持板
５      基板
６      マグネットシート
７      つまみ
８      磁石
１０    ポケットティッシュ
１１    袋部
１２    ティッシュペーパー
２０    磁性板
２１    磁性板
３０    筐体
３１    筒体
３２    箱体  
３３    取っ手
４０    筐体
４１    上蓋
４２    箱体
９０    ポケットティッシュ用ボックス
９１    ポケットティッシュ用ボックス
【図１】
2015054718.tif 000003
【図２】
2015054718.tif 000004
【図３】
2015054718.tif 000005
【図４】
2015054718.tif 000006
【図５】
2015054718.tif 000007
【図６】
2015054718.tif 000008
【図７】
2015054718.tif 000009
【図８】
2015054718.tif 000010
【図９】
2015054718.tif 000011
【図１０】
2015054718.tif 000012